(57)【要約】電化製品の制御のためのゼロ電力待機システムは、電力消費を全く発生させることなくスイッチオン命令を待機することができる。これは、電磁場信号、光信号または音声信号のいずれかの形態の電力を制御信号受信デバイス（１３）の受電部（２）へと送るリモートコントローラ（１）により、行われる。その後、前記受電部は、前記受信された電力を用いて、多スイッチ部（７）によって電源と制御信号受信部（９）および制御信号処理部（３）とを強制接続させ、その後、前記電化製品を通常運転モードにする。ユーザが前記電化製品をオフにすることを所望すると、前記システムは、多スイッチ部（７）をオフにすることによって制御信号受信部（９）および制御信号処理部（３）への電力供給を停止し、前記電化製品をゼロ電力待機モードへと戻す（すなわち、電力消費がゼロになる）。よって、待機モードにおける電気エネルギーの無駄が低減してゼロとなる。
2013530576.tif 000002
【特許請求の範囲】
【請求項１】
電化製品の制御のためのゼロ電力待機モードを備えたシステムであって、
リモートコントローラ（１）であって、電力出力部（１０４）と、制御信号出力部（１０５、１１５）とを含み、前記電力出力部（１０４）は起動信号を出力し、前記制御信号出力部（１０５、１１５）は、前記電化製品へと制御信号を出力し、前記電化製品は、待機モードまたは運転モードのいずれかで動作することができる、リモートコントローラ（１）と、
前記電化製品に動作可能に接続された制御信号受信デバイス（１３）であって、
前記起動信号を前記リモートコントローラ（１）から受信する手段を有する受電部（２）であって、前記起動信号を受信すると、ウェークアップコマンドを生成する、受電部（２）と、
前記リモートコントローラからの前記制御信号に応答して前記電化製品を制御する制御信号処理部（３）と、
前記リモートコントローラ（１）から出力された前記制御信号を受信する制御命令受信部（９）であって、前記制御信号を前記制御信号処理部（３）へと送信する、制御命令受信部（９）と、
を含む、制御信号受信デバイス（１３）と、
を含み、
前記システムは、
前記リモートコントローラから起動信号を受信すると、前記受電部（２）はウェークアップコマンドを生成して、前記制御信号処理部（３）および前記制御命令受信部（９）を起動させ、前記制御信号処理部（３）および前記制御命令受信部（９）に電力を供給し、これにより、前記システムは、前記リモートコントローラからの制御信号を受信可能な状態となる、
点において特徴付けられる、システム。
【請求項２】
前記リモートコントローラ（１）は、制御信号を送信して、前記制御信号受信デバイス（１３）に接続された前記電化製品が前記待機モードから抜けることができるようにする、請求項１に記載の、電化製品の制御のためのゼロ電力待機モードを備えたシステム。
【請求項３】
前記受電部（２）は電磁波受信手段を含み、前記電磁波受信手段は、前記リモートコントローラ（１）から起動信号として送信された電磁波信号を受信する、請求項１または２に記載の、電化製品の制御のためのゼロ電力待機モードを備えたシステム。
【請求項４】
前記受電部（２）は、整流器および電圧ダブラー回路をさらに含み、前記整流器および電圧ダブラー回路は、前記起動信号受信手段へ直列接続される、請求項１〜３のいずれか１項に記載の、電化製品の制御のためのゼロ電力待機モードを備えたシステム。
【請求項５】
前記制御命令受信部（９）は赤外線信号受信部である、請求項１〜４のいずれか１項に記載の、電化製品の制御のためのゼロ電力待機モードを備えたシステム。
【請求項６】
前記リモートコントローラ（１）は電力出力手段（１０２、１０４）をさらに含み、前記電力出力手段（１０２、１０４）は、前記制御信号受信デバイス（１３）の前記受電部（２）を通電させるための起動信号として電力を出力する、請求項１〜５のいずれか１項に記載の、電化製品の制御のためのゼロ電力待機モードを備えたシステム。
【請求項７】
前記電力出力手段（１０２、１０４）はアンテナを含む、請求項６に記載の、電化製品の制御のためのゼロ電力待機モードを備えたシステム。
【請求項８】
前記制御信号受信デバイス（１３）は多スイッチ部（７）をさらに含み、前記多スイッチ部（７）は、前記制御命令受信部（９）および前記制御信号処理部（３）へ選択的に電力を供給する、請求項１〜７のいずれか１項に記載の、電化製品の制御のためのゼロ電力待機モードを備えたシステム。
【請求項９】
前記多スイッチ部（７）は、ＳＣＲまたはサイリスタである、請求項８に記載の、電化製品の制御のためのゼロ電力待機モードを備えたシステム。
【請求項１０】
前記電化製品はテレビ受像機である、請求項１〜９のいずれか１項に記載の、電化製品の制御のためのゼロ電力待機モードを備えたシステム。
【請求項１１】
システムにおいて待機モードである電化製品をリモート制御する方法であって、前記システムは、リモートコントローラ（１）と、制御信号受信デバイス（１３）とを含み、前記制御信号受信デバイス（１３）は、制御信号処理部（３）および制御命令受信部（９）を含み、動作可能に前記電化製品（８）へ接続され、
前記方法は、
前記制御信号受信デバイス（１３）において信号を受信するステップであって、前記信号は前記リモートコントローラ（１）からの起動信号および制御信号を含む、ステップと、
電源（６）からの電力を前記制御信号受信デバイス（１３）へと方向付けるために前記起動信号から受電された電力を用いることにより、前記制御信号受信デバイス（１３）の前記制御信号処理部（３）および前記制御命令受信部（９）に電力を供給し、これにより前記制御信号受信デバイス（１３）を通常運転モードとするステップと、
前記制御信号受信デバイス（１３）が待機モードとなるまで、前記制御信号受信デバイス（１３）の前記制御信号処理部（３）および前記制御命令受信部（９）への電力供給を継続するステップと、
ウェークアップコマンドを生成するステップであって、前記ウェークアップコマンドは、前記多スイッチ部（７）に対する回路を開くようにとの命令を前記制御信号処理部（３）から送り、その結果、前記制御信号処理部（３）および前記制御命令受信部（９）への電源が遮断される、ステップと、
を含む、方法。
【請求項１２】
前記制御信号を送る前に、前記制御信号受信部および前記処理部が機能し始めるまで前記受電部（２）が前記受電部（２）へ前記電力を出力できるように一定期間にわたって遅延させ、これにより、前記制御命令受信部（９）が事前に機能した後に、前記リモートコントローラの前記信号出力部から前記命令信号を出力することが可能となるステップをさらに含む、請求項１１に記載の方法。
【請求項１３】
電源部（６）をさらに含み、前記電源部（６）は、前記リモートコントローラ（１）の複数のボタンのうち１つが押圧されたときに前記制御命令受信部（９）および前記制御信号処理部（３）へ電力を出力するように、前記多スイッチ部（７）へと接続される、請求項１〜１０のいずれか１項に記載の、電化製品の制御のためのゼロ電力待機モードを備えたシステム。
【請求項１４】
前記電源部（６）は、電池、太陽電池、コンデンサまたは交流−直流変換回路からなる群から選択される、請求項１３に記載の、電化製品の制御のためのゼロ電力待機モードを備えたシステム。
【請求項１５】
前記リモートコントローラ（１）の電力出力部（１０４）から出力される電力は、電磁場波、光波、または音波からなる群から選択された形態をとる、請求項１に記載の、電化製品の制御のためのゼロ電力待機モードを備えたシステム。
【発明の詳細な説明】
【技術分野】
【０００１】
本発明は、電化製品のためのゼロ電力待機モードを備えたシステムに関する。
【背景技術】
【０００２】
人類間での電力消費の要求は、現在増加している。しかし、利用可能な自然動力は低下している。そのため、人類は、現在、新しい代替電力源を探求しようとしており、新たな電力節減技術を開発している。待機モードは一種の技術であり、電力節約目的の達成と、電化製品の作動における快適性および簡便性の提供とのために開発されている。現在、待機モードは、電化製品（例えば、テレビ、ステレオコンポ、空調装置）において広く利用されている。このような電化製品を使用した後に毎回、ユーザは通常、当該電化製品をリモート制御を介してオフにする。前記リモート制御によってオフにされた後、前記電化製品は待機モードとなり、その結果、前記電化製品はいくらかの電力を継続的に消費する。これは、前記電化製品を再度オンにするための命令が前記リモートコントローラから来るのを継続的に待機するセンサー回路を動作させるためのいくらかの電力が前記待機モードにおいて必要であるという事実に起因する。
【０００３】
そのため、このような電化製品に関連する電力消費を低減するために、電力の無駄の無い待機モードの開発が試みられてきた。
【０００４】
本発明は、待機モードに関する。例えば、米国特許出願シリアル番号第２００７／０２７９９５１号（Ｃｈｉｎ−Ｈｓｉａｎｇ  Ｗｕ、台湾）において、待機モードにおいて信号センサーへ電力を供給することによって作動する電化製品のための待機モードについての開示がある。しかし、このモードにおいても、信号センサーへの電力供給が必要である。
【０００５】
米国特許第５，４１４，４７５号（名称：「Ｍｅｔｈｏｄ  ｏｆ  ｏｐｅｒａｔｉｎｇ  ａ  ｌｏｗ  ｓｔａｎｄｂｙ  ｐｏｗｅｒ  ｓｙｓｔｅｍ  ｆｏｒ  ａ  ｔｅｌｅｖｉｓｉｏｎ  ｒｅｃｅｉｖｅｒ」、Ｗｉｌｌｉａｍ  Ａ．Ｔｒｚｙｎａ、Ｅｌｇｉｎ；Ｃａｒｌ  Ｅ．Ｗａｌｄｉｎｇ、Ｂａｒｒｉｎｇｔｏｎ、Ｉｌｌｉｎｏｉｓ、ＵＳＡ）において、以下のような開示がある。すなわち、待機モードにおいてマイクロプロセッサおよび赤外線受信デバイスへと供給されるべきバックアップ電力を保存するために大型コンデンサが設けられ、前記コンデンサにおいて電圧降下が発生した場合、前記コンデンサは再充電される。この方法の場合、テレビ受像機中の待機モードシステムの電力消費を低減する。しかし、米国特許第５，４１４，４７５号に記載のシステムの場合も、いくらかの量の電力を消費する。
【０００６】
米国特許第４，５００，９２３号（名称「Ｔｅｌｅｖｉｓｉｏｎ  ｒｅｃｅｉｖｅｒ  ｓｔａｎｄｂｙ  ｐｏｗｅｒ  ｓｕｐｐｌｙ」、Ｗｉｌｌｉａｍ  Ｅ．Ｄｕｖａｌｌ；Ｍａｕ−Ｃｈｏｕｎｇ  Ｐ．Ｈｗａｎｇ、Ｉｎｄｉａｎａｐｏｌｉｓ、ＵＳＡ）において、テレビ受像機において用いられる従来の待機システムが開示されている。待機モードにおいて、リモート制御回路は、継続的な電力供給を必要とするため、電力を消費する。
【０００７】
米国特許第６，４１４，８６４号（名称：「Ｃｉｒｃｕｉｔ  ｆｏｒ  ｒｅｄｕｃｉｎｇ  ｓｔａｎｄｂｙ  ｐｏｗｅｒ  ｏｆ  ｅｌｅｃｔｒｉｃａｌ  ａｐｐａｒａｔｕｓ」、ＬＧ  Ｅｌｅｃｔｒｏｎｉｃｓ、Ｉｎｃ．，大韓民国）において、待機電力低減のための回路が開示されている。しかし、この回路の場合も、制御命令受信デバイス、ダイオードおよびマイクロコンピュータへ電力を供給するため、待機モードにおいてほぼ１０〜１５ミリワットの範囲で電力消費が生じる。これは、待機モードにおいて光学リモート制御回路およびマイクロコントローラのために２０ミリアンペアの電流を必要とする、米国特許第６，３０７，７６２号（名称：「Ｐｏｗｅｒ  ｓｕｐｐｌｙｉｎｇ  ｃｉｒｃｕｉｔ  ａｎｄ  ｍｅｔｈｏｄ」）に開示されたものと同様である。
【発明の概要】
【０００８】
上記に概要を述べた待機モードにおいて電力消費についての欠陥を解消するために、電化製品のためのゼロ電力待機モードのためのシステムが開発されている。本発明の目的は、待機モードにおける電力消費を最小化することである。この開発された待機モードは、システムが待機モードである際にエネルギーを全く消費しない。ユーザが電化製品をオンに切り換えると、前記システムは、リモートコントローラから送られてきた電力を用いて切換回路を制御して、電源を制御信号受信部および処理部またはマイクロコントローラへと電気的に接続する。このシステムは、前記制御信号の送信前に前記制御信号受信部および前記処理部が機能し始めるまでの時間を遅延させ得る。このようにすることで、ユーザが、通常運転モードに入る、電化製品の動作機構を制御することが可能となる。
【０００９】
本発明による電化製品のためのゼロ電力待機システムは、零入力電流を全く必要とすることなく、スイッチオン信号を待機することができる。これは、電磁場信号、光信号または音声信号のうちのいずれかの形態の電力をリモートコントローラから制御信号受信デバイスの受電部へと送ることにより、行われる。その後、前記受電部は、前記受信された入力電力を用いて多スイッチ部を制御して、前記制御信号受信部および前記制御信号処理部への零入力電流供給をオン／オフ切換し、運転モードを開始する。前記ユーザが前記電化製品をオフにすると、前記制御部は、前記制御信号受信部および前記制御信号処理部へと供給される電力を遮断し、その後、前記電化製品は、電力消費を全く必要とすること無く待機モードに入る。よって、待機モードにおける電力の無駄、電力消費および電力コストを低減することが可能となる。
【図面の簡単な説明】
【００１０】
【図１】本発明による電化製品のためのゼロ電力待機システムのブロック図である。
【図２】電化製品のためのゼロ電力待機システムと共に用いられるリモートコントローラのブロック図である。
【図３】本発明による受電デバイスの動作手段のブロック図である。
【図４】制御命令受信部および制御信号処理部に対する電源を制御する切換回路の一例を示す。
【図５】制御信号処理部の回路の一例を示す。
【図６ａ】本発明によるシステムの機能ステップを示す。
【図６ｂ】本発明によるシステムの機能ステップを示す。
【図６ｃ】本発明によるシステムの機能ステップを示す。
【発明を実施するための形態】
【００１１】
以下、本発明について、例示的図面を参照しながら例示的に説明する。より深い理解のために、図面中の同一部材を同一の参照符号で示す。本発明の範囲は、添付の特許請求の範囲中に非限定的に定義される。
【００１２】
本発明による電化製品のためのゼロ電力待機システムを図１に示す。このシステムは、リモートコントローラ（１）と、電化製品に動作可能に接続された制御信号受信デバイス（１３）とを含む。制御信号受信デバイス（１３）は、受電部（２）と、制御命令受信部（９）と、制御信号処理部（３）と、多スイッチ部（７）とを含む。受電部（２）は、起動電力またはウェークアップ信号をリモートコントローラ（１）から受信し、前記起動信号を受信した後、ウェークアップコマンドを生成する。制御命令受信部（９）は、リモートコントローラ（１）から制御信号（例えば、赤外線信号または無線周波数信号）を受信する。制御信号処理部（３）は、前記リモートコントローラからの前記制御信号に応答して前記電化製品を制御する。多スイッチ部（７）は、受電部（２）からのウェークアップコマンドに応答して、電力を制御信号処理部（３）および制御命令受信部（９）へと供給し、制御信号処理部（３）からの制御信号が存在する場合、ユーザが電力をオフにするまで、制御信号処理部（３）および制御命令受信部（９）への電力供給を継続する。前記システムは、直流電源（６）によって電力供給される。直流電源（６）は、外部電源であり得る（例えば、電池、太陽電池、大型コンデンサ、またはＡＣ／ＤＣ変圧器）。前記電源は、多スイッチ部（７）を介して接続され、制御信号処理部（３）および制御命令受信部（９）への電力供給を行う。制御信号受信デバイス（１３）は、外部直流電源（６）に接続してもよいし、あるいは、電化製品（８）（例えば、テレビ受像機、ＶＣＲプレーヤ、ＶＣＤプレーヤ、ラジオ）の動作を制御するように電化製品内に設けてもよい。典型的には、これらの電化製品は、２つのモード（すなわち、運転モードおよび待機モード）のうちいずれかで動作することができる。待機モードにおいて、前記電化製品はターンオフされ、リモートコントローラからの制御信号（ウェークアップ信号）を待機し続ける。待機モードの際、電力は一切消費されない。
【００１３】
リモートコントローラ（１）は、電力出力部（１０４）と、制御信号出力部（１０５、１１５）とを含む。電力出力部（１０４）は、起動信号を出力する。制御信号出力部（１０５、１１５）は、待機モードまたは運転モードのいずれかで動作可能な電化製品に制御信号を出力する。
【００１４】
以下、本発明によるシステムの動作について詳述する。
【００１５】
図１によれば、前記システムがゼロ電力待機モードにある場合、ユーザは、リモートコントローラ（１）上のボタンを押圧して、前記ユーザの望む電化製品（８）をオンにすることができる。前記ユーザは、リモートコントローラ（１）上の「オン」ボタンを押圧してリモートコントローラ（１）を起動させてウェークアップ信号（すなわち、エネルギー波（例えば、電磁波、可視光または非可視光、または超音波）を受電部（２）へと送信させることにより、このようなオン動作を実現することができる。受電部（２）は、受電手段（例えば、アンテナ、光電池または圧電材料）を含み、これにより、前記受電手段は、リモートコントローラ（１）から受信した電力を用いて、多スイッチ部（７）を起動する。その後、多スイッチ部（７）は、直流電源（６）に強制してＤＣ電力を制御信号処理部（３）および制御命令受信部（９）へと供給させ、これにより、制御信号受信デバイス（１３）が起動され、正常に機能することができる。その後、リモートコントローラ（１）は、制御信号（例えば、赤外線光信号、無線信号、超音波信号）を所定のプロトコルおよび当該分野において公知の周波数（例えば、ＲＣ−５、ＲＣ−６、ＳＩＲＣＳまたはＮＥＣ  ＴＣ１０１）で送信して、赤外線光コマンドを電化製品および制御命令受信部（９）へと送る。制御信号処理部（３）は、前記受信された制御命令信号が前記電化製品の起動のための所定のフォーマットに適合するか否かを検出する手段を含み得る。制御命令受信部（９）へと送られてきた前記制御信号が前記電化製品の起動のための前記所定の信号フォーマットに適合する場合、制御信号処理部（３）は、制御対象電化製品（８）を主要電源（図示せず）へと接続する。その結果、前記システムは通常運転モードのままとなることができる。制御命令受信部（９）へと送られてきた前記制御信号が前記電化製品の起動のための前記所定の信号フォーマットに適合しない場合、制御信号処理部（３）は、前記システムを再度ゼロ電力待機モードとする。
【００１６】
前記システムが通常運転モードである場合、ユーザがリモートコントローラ（１）から任意の命令を制御信号受信デバイス（１３）へと送った場合、リモートコントローラ（１）は、前記特定の命令に対応する所定の制御命令信号のみを制御命令受信部（９）のみへと送る。しかし、ユーザが前記電化製品をターンオフして前記システムをゼロ電力待機モードに戻したい場合は、リモートコントローラ（１）はウェークアップ信号または電力を受電部（２）へと送る必要は全く無い。このようなターンオフ動作は、リモートコントローラ（１）にあるオン／オフボタンを押圧することによって行うことができ、その結果、前記電化製品をスイッチオフするための所定の制御命令信号が制御命令受信部（９）へと送られる。その後、制御信号処理部（３）は、前記電化製品をターンオフさせかつ多スイッチ部（７）に回路接続を切断させるための命令を送信する。その後、直流電源部（６）からの電力は、制御命令受信部（９）および制御信号処理部（３）へ供給されなくなる。その結果、前記システムはオフにされる。この時点において、前記システムはすぐにゼロ電力待機モードとなる。受電部（２）は、零入力電流を全く必要とすることなく容易に起動することが可能な唯一の部分である。なぜならば、この受電部（２）は、リモートコントローラ（１）からの電力を用いて自己作動して前記システムをオンにさせた後、上述したように運転モードに戻るからである。
【００１７】
直流電源部（６）は、運転モードにおいて、制御命令受信部（９）および制御信号処理部（３）へ電力供給を行う直流電源である。電力は、コンデンサ、電池、太陽電池またはＡＣ／ＤＣ変圧器などから受信され得る。
【００１８】
図２は、本発明のリモートコントローラ（１）の詳細な模式図である。リモートコントローラ（１）は、リモートコントローラユーザ命令受信部（１０１）と、信号生成部（１０２）と、リード信号指定部（１０３）と、電力出力部（１０４）と、全般的リモートコントローラ信号送信部（１０５）とを含む。全般的リモートコントローラ信号送信部（１０５）は、赤外線ダイオード（単数または複数）（１１５）を介して出力されるべき制御信号を生成する。
【００１９】
以下、作動原理について説明する。ユーザがリモートコントローラ（１）上の「オン」ボタン（図示せず）を押圧して当該電化製品をスイッチオンせよとの命令を送信すると、このスイッチオンは、前記オン／オフボタンの押圧によって行われ得る。その後、リモートコントローラユーザ命令受信部（１０１）は、信号生成部（１０２）による信号生成を可能にする。その後、この生成された信号は、図１に示すように電力出力部（１０４）を通じて当該電化製品内の受電部（２）へと送信される。前記ユーザが前記オン／オフボタンを押圧してリモートコントローラユーザ命令受信部（１０１）を起動／起動解除している間、リモートコントローラ（１）におけるリモートコントローラユーザ命令受信部（１０１）からの信号がリード信号指定部（１０３）へと送信され、リード信号指定部（１０３）は、遅延手段を用いて、制御命令受信部（９）および制御信号処理部（３）を事前に起動するための電力を電力出力部（１０４）から出力するのを、ある期間（例えば、１０ミリ秒）にわたって遅延させることが可能となる。前記遅延時間が経過した後、全般的リモートコントローラ信号送信部（１０５）は、制御命令信号を赤外線ダイオード（１１５）を介して出力する。さらに、前記遅延手段の代わりに、リード信号指定部（１０３）は、任意のフォーマットの信号を一定期間にわたって出力した後に前記指定された命令信号を出力するための他の手段を用いてもよい。
【００２０】
リモートコントローラユーザからの１つのオン／オフボタンのみを用いたオン／オフ命令を感知する手段を前記リモートコントローラが用いる場合、リモートコントローラユーザ命令受信部（１０１）は、オン／オフ命令以外の他の命令の出力を確認することにより、リモートコントローラ（１）がオンまたはオフ状態にあることを承認する手段を含み得る。例えば、ユーザが前記リモートコントローラ上の「オン／オフ」ボタンを押圧した後に「オン／オフ」ボタン以外のボタンが前記所定期間を超える期間にわたって押圧された場合、前記「オン／オフ」ボタンが「オン」状態であると推定することができる。リモートコントローラ（１）上の「オン／オフ」ボタンがもう１回押圧されると、これはスイッチオフ命令である旨が前記命令受信部へと通知され、リモートコントローラ（１）は、電力出力部（１０４）からの電力を出力しなくなる。その代わりに、リモートコントローラ（１）は、前記スイッチオフ命令を全般的リモートコントローラ信号送信部（１０５）を介して送信する。
【００２１】
図３は、受電部（２）の動作手段のブロック図である。受電部（２）は、受電器（２１）を含む。受電器（２１）は、約１〜５ボルトの電圧で起動信号（３２）を生成するように、電流整流／電圧増加部（３１）へと接続され得る。この作動原理としては、受電器（２１）（例えば、コイルまたは金属片）において受電されると、交流が生成され、電流整流／電圧増加部（３１）へと転送されて、前記電圧を増加させる。電流整流／電圧増加部（３１）は、交流を直流に変換する際に用いられる手段および／または前記電圧を増加させる際に用いられる手段である。さらに、電流整流／電圧増加部（３１）は、交流から直流への変換と、電圧増加とをどちらとも行い得る。図３は、半波長電圧拡張回路を示す。前記半波長電圧拡張回路は、ダイオード（Ｄ１〜Ｄ４）およびコンデンサ（Ｃ１〜Ｃ４）を含む。受電器（２１）からの電圧は直流へと変換され、四倍だけ増加される。例えば、受電器（２１）からの、最大値が約０．５ボルトである電圧レベル（Ｕｓ）が２ボルトまで増加される。その後、電圧または起動信号（３２）が多スイッチ部（７）へと送られる。多スイッチ部（７）については後述する。
【００２２】
図４は、手段の一例と、制御命令受信部（９）および制御信号処理部（３）のための電源制御切換回路の一例とを示す。作動原理を述べると、ユーザがオン／オフスイッチを押圧することによって電化製品をオンにしようとすると、リモートコントローラユーザ命令受信部（１０１）は、電力出力部（１０４）からの電力と、リモートコントローラ（１）からダイオード（１１５）を介して受電部（２）および制御命令受信部（９）へとそれぞれ送られてきたスイッチオン制御命令信号とを受信する。その後、受電部（２）は起動信号を送信する。前記起動信号の電流および電圧は整流され、多スイッチ部（７）へと増加される。その結果前記スイッチが可能となる。前記スイッチは、本例において第１の導通サイリスタ（ＳＣＲ）（７０１）であり、制御命令受信部（９）および制御信号処理部（３）へと供給されるべき電力を直流電源部（６）から受信し、前記電化製品をスイッチオンするための制御命令信号が信号感知手段（１５）による処理対象として制御命令受信部（９）によって受信される。その後、前記信号は制御信号処理部（３）へと送信される。その後、制御信号処理部（３）は前記信号を処理し、制御信号（ＣＮＴＬ）を送信する。制御信号（ＣＮＴＬ）は、電化製品（８）をスイッチオンして運転モードで動作させるためのものである。
【００２３】
前記電化製品が前記通常運転モードにおいて機能し始めた後、ユーザが、リモートコントローラユーザ命令受信部（１０１）上のオン／オフボタンを押圧することによって電化製品（８）をスイッチオフすると、前記スイッチオフ制御命令信号は、制御命令受信部（９）によって受信され、制御信号処理部（３）へと転送される。その後、制御信号処理部（３）は前記信号を処理する。前記スイッチオフ命令が承認されると、制御信号処理部（３）は、第２のＳＣＲ（７０２）を活性化させるためのパルス信号（ＳＷ＿ＯＦＦ）を送信する。第２のＳＣＲ（７０２）が活性化すると、電流がコンデンサＣ（７０３）および第２のＳＣＲ（７０２）を通じてインダクタＬ（７０４）へと送られる。その結果、第１のＳＣＲ（７０１）の導通が停止する。コンデンサＣ（７０３）がフル充電されると、第２のＳＣＲ（７０２）も電流導通を停止する。その結果、多スイッチ部（７）は機能を停止し、直流電源部（６）から制御命令受信部（９）および制御信号処理部（３）への電力供給も無くなる。その後、前記システムは上記したように停止する。
【００２４】
前記システムが待機モードに入る際に電力消費は全く無いことが理解される。
【００２５】
前記システムから制御命令受信部（９）および制御信号処理部（３）への電力供給が行われるのは、多スイッチ回路（７）が閉められるときのみである。多スイッチ回路（７）は、受電器（２１）がリモートコントローラ（１）から受電した場合にのみ、機能を開始する。そのため、作動原理からみて、本発明によるシステムは、待機モードにおいて電力を消費しない。
【００２６】
図５は、制御信号処理部（３）の回路の一例を示す。受電部（２）がリモートコントローラ（１）から受電し、多スイッチ部（７）に閉回路を指示した場合、直流電源（６）は、制御信号処理部（３）の回路のための零入力電流として用いられる電力を回線（３０１）に沿って供給する。レジスタ（３０２）およびコンデンサ（３０３）は、前記電流を制限し、前記電流にフィルタリングをかけた後に制御信号処理部（３）へと供給する。制御信号処理部（３）は、マイクロコントローラ（３０４）を含む。マイクロコントローラ（３０４）は、制御命令受信部（９）から受信された制御信号を処理する。前記信号は、前記マイクロコントローラの入力端ＩＮ１（３０５）において入力される。この信号（ＣＮＴＬ）は、処理結果に起因して、前記電化製品を制御するように出力端ＯＵＴ２（３０８）において出力される。
【００２７】
多スイッチ回路（７）を制御する信号は、スイッチ制御信号（ＳＷ＿ＯＦＦ）として出力端ＯＵＴ１（３０６）において出力される。ユーザがリモートコントローラ（１）上の「オフ」ボタンを上述したように押圧すると、信号（ＳＷ＿ＯＦＦ）が出力され、第２のサイリスタ（７０２）を制御して、多スイッチ部（７）のための電流を導通させて、回路を開く。
【００２８】
図６ａ〜ｃは、本発明によるシステムの機能ステップを示す。図６ａ〜ｃによれば、前記システムが起動し（ステップ９０１）、電化製品がオン状態になる（ステップ９０２）と、ユーザがリモートコントローラ（１）から命令を送信し（ステップ９０３）、リモートコントローラ（１）からの信号は、電化製品内の制御命令受信部（９）へと転送され、制御信号処理部（３）へと転送される。その後、制御信号処理部（３）は、前記信号が前記電化製品についてのスイッチオフ信号であるか否かを決定する処理を行う（ステップ９０４）。前記信号が前記電化製品についてのスイッチオフ信号ではないと決定した場合、制御信号処理部（３）は、前記電化製品の制御をリモートコントローラ（１）からの信号に従って行う（ステップ９０６）。その後、前記システムは、リモートコントローラ（１）から別の命令がユーザから来るのを再び待機する（ステップ９０３）。上記プロセスの結果、前記信号が前記電化製品についてのスイッチオフ信号であると決定した場合、制御信号処理部（３）は、前記命令を送信して前記多スイッチ部（７）を制御し、回路を開く（ステップ９０５）。その後、前記電化製品はすぐに待機モードとなる（ステップ９０７）。
【００２９】
図６ａ〜ｃによれば、前記電化製品が待機モードにあるとき、制御信号受信部（９）および制御信号処理部（３）は機能を停止する。なぜならば、制御信号受信部（９）および制御信号処理部（３）へ供給される電力は、多スイッチ部（７）によって遮断されているからである（ステップ９０８）。このステップにおいて、前記システムは、電力を一切消費せずに、待機モードにある。その結果、電力消費が節約される。
【００３０】
リモートコントローラ（１）から電力およびスイッチオン信号が出力されるのは、ユーザがリモートコントローラ（１）上のボタンを押圧することによって「オン」命令を送信した場合（ステップ９０９）のみである。受電部（２）が前記出力された電力を受電すると、受電部（２）は、多スイッチ部（７）を制御して回路を閉じる（ステップ９１０）。その結果、制御信号処理部（３）および制御命令受信部（９）は、電源部（６）から零入力電流を受信し、機能を開始し（ステップ９１１）、動作を再開する。その結果、制御信号処理部（３）がスイッチオン信号を処理して（ステップ９１２）、この信号が、リモートコントローラ（１）からの、前記電化製品と関連付けられたスイッチオン信号であるか否かを決定する（ステップ９１３）ことができる。これにより、前記電化製品がノイズ信号または別のリモートコントローラからのリモート信号などに起因して不用意に待機モードから抜ける事態が回避される。
【００３１】
上記決定の結果が「はい」である場合、制御信号処理部（３）は、前記電化製品のための制御信号をリモートコントローラ（１）から送信する（ステップ９１４）。ここで、前記電化製品は待機モードから抜けている状態であり、通常運転モードにある（ステップ９１５）。一方、この信号がリモートコントローラ（１）からの、前記電化製品と関連付けられたスイッチオン信号であることを発見するための処理（ステップ９１３）の結果が「いいえ」である場合、制御信号処理部（３）は、多スイッチ部（７）を制御して回路を開くよう命令を送信し（ステップ９０５）、前記システムは上述したように動作する。
【００３２】
上述したように、本出願による本発明において、電化製品のためのゼロ電力待機モードを示してきた。このようなゼロ電力待機モードにより、待機モードにおける電力消費の最小化が可能となる。本発明による待機システムは、待機モードにおいて電力を使用しない。ユーザが電化製品をオンにすると、前記システムは、リモートコントローラから出力された電力を用いて切換回路を制御して、電源を制御信号受信部および処理部またはマイクロコントローラへと接続させる。前記システムは、制御信号の送信前に前記制御信号受信部および前記処理部が機能し始めるまでの時間を遅延させ得る。このようにすることで、ユーザが、通常運転モードに入る前記電化製品の動作機構を制御することが可能となる。
【００３３】
本発明による電化製品のためのゼロ電力待機システムは、スイッチオン信号を待機する際、零入力電流を必要としない。これは、電磁場信号、光信号または音声信号のうちのいずれかの形態の電力をリモートコントローラから制御信号受信デバイスの受電部へと送ることにより、行われる。その後、前記受電部は、前記入力電力を用いて多スイッチ部を制御して、前記制御信号受信部および前記制御信号処理部への電力供給をオン／オフ切換し、運転モードを開始する。前記ユーザが前記電化製品をオフにすると、前記制御信号受信部および前記制御信号処理部への電源が遮断され、その後、前記電化製品は、電力消費を全く必要とすること無く待機モードに入る。よって、待機モードにおける電力の無駄、電力消費および電力コストを低減することが可能となる。
【００３４】
本発明について例示的な添付図面と共に十分に説明してきたが、当業者であれば、改変または変更が本発明の範囲および意図内において可能であることが理解されるべきである。本発明の範囲は、添付の特許請求の範囲に定められる発明に従って決定され、本発明の局面を含む。このような本発明の局面は、特許請求の範囲中には具体的に規定されていないが、特許請求の範囲中に規定されているような本発明の局面と同様な有用性および実装（implementation）をもたらす。
【００３５】
〔実施の態様〕
（１）  電化製品の制御のためのゼロ電力待機モードを備えたシステムであって、
リモートコントローラ（１）であって、電力出力部（１０４）と、制御信号出力部（１０５、１１５）とを含み、前記電力出力部（１０４）は起動信号を出力し、前記制御信号出力部（１０５、１１５）は、前記電化製品へと制御信号を出力し、前記電化製品は、待機モードまたは運転モードのいずれかで動作することができる、リモートコントローラ（１）と、
前記電化製品に動作可能に接続された制御信号受信デバイス（１３）であって、
前記起動信号を前記リモートコントローラ（１）から受信する手段を有する受電部（２）であって、前記起動信号を受信すると、ウェークアップコマンドを生成する、受電部（２）と、
前記リモートコントローラからの前記制御信号に応答して前記電化製品を制御する制御信号処理部（３）と、
前記リモートコントローラ（１）から出力された前記制御信号を受信する制御命令受信部（９）であって、前記制御信号を前記制御信号処理部（３）へと送信する、制御命令受信部（９）と、
を含む、制御信号受信デバイス（１３）と、
を含み、
前記システムは、
前記リモートコントローラから起動信号を受信すると、前記受電部（２）はウェークアップコマンドを生成して、前記制御信号処理部（３）および前記制御命令受信部（９）を起動させ、前記制御信号処理部（３）および前記制御命令受信部（９）に電力を供給し、これにより、前記システムは、前記リモートコントローラからの制御信号を受信可能な状態となる、
点において特徴付けられる、システム。
（２）  前記リモートコントローラ（１）は、制御信号を送信して、前記制御信号受信デバイス（１３）に接続された前記電化製品が前記待機モードから抜けることができるようにする、実施態様１に記載の、電化製品の制御のためのゼロ電力待機モードを備えたシステム。
（３）  前記受電部（２）は電磁波受信手段を含み、前記電磁波受信手段は、前記リモートコントローラ（１）から起動信号として送信された電磁波信号を受信する、実施態様１または２に記載の、電化製品の制御のためのゼロ電力待機モードを備えたシステム。
（４）  前記受電部（２）は、整流器および電圧ダブラー回路をさらに含み、前記整流器および電圧ダブラー回路は、前記起動信号受信手段へ直列接続される、実施態様１〜３のいずれかに記載の、電化製品の制御のためのゼロ電力待機モードを備えたシステム。
（５）  前記制御命令受信部（９）は赤外線信号受信部である、実施態様１〜４のいずれかに記載の、電化製品の制御のためのゼロ電力待機モードを備えたシステム。
（６）  前記リモートコントローラ（１）は電力出力手段（１０２、１０４）をさらに含み、前記電力出力手段（１０２、１０４）は、前記制御信号受信デバイス（１３）の前記受電部（２）を通電させるための起動信号として電力を出力する、実施態様１〜５のいずれかに記載の、電化製品の制御のためのゼロ電力待機モードを備えたシステム。
（７）  前記電力出力手段（１０２、１０４）はアンテナを含む、実施態様６に記載の、電化製品の制御のためのゼロ電力待機モードを備えたシステム。
（８）  前記制御信号受信デバイス（１３）は多スイッチ部（７）をさらに含み、前記多スイッチ部（７）は、前記制御命令受信部（９）および前記制御信号処理部（３）へ選択的に電力を供給する、実施態様１〜７のいずれかに記載の、電化製品の制御のためのゼロ電力待機モードを備えたシステム。
（９）  前記多スイッチ部（７）は、ＳＣＲまたはサイリスタである、実施態様８に記載の、電化製品の制御のためのゼロ電力待機モードを備えたシステム。
（１０）  前記電化製品はテレビ受像機である、実施態様１〜９のいずれかに記載の、電化製品の制御のためのゼロ電力待機モードを備えたシステム。
【００３６】
（１１）  システムにおいて待機モードである電化製品をリモート制御する方法であって、前記システムは、リモートコントローラ（１）と、制御信号受信デバイス（１３）とを含み、前記制御信号受信デバイス（１３）は、制御信号処理部（３）および制御命令受信部（９）を含み、動作可能に前記電化製品（８）へ接続され、
前記方法は、
前記制御信号受信デバイス（１３）において信号を受信するステップであって、前記信号は前記リモートコントローラ（１）からの起動信号および制御信号を含む、ステップと、
電源（６）からの電力を前記制御信号受信デバイス（１３）へと方向付けるために前記起動信号から受電された電力を用いることにより、前記制御信号受信デバイス（１３）の前記制御信号処理部（３）および前記制御命令受信部（９）に電力を供給し、これにより前記制御信号受信デバイス（１３）を通常運転モードとするステップと、
前記制御信号受信デバイス（１３）が待機モードとなるまで、前記制御信号受信デバイス（１３）の前記制御信号処理部（３）および前記制御命令受信部（９）への電力供給を継続するステップと、
ウェークアップコマンドを生成するステップであって、前記ウェークアップコマンドは、前記多スイッチ部（７）に対する回路を開くようにとの命令を前記制御信号処理部（３）から送り、その結果、前記制御信号処理部（３）および前記制御命令受信部（９）への電源が遮断される、ステップと、
を含む、方法。
（１２）  前記制御信号を送る前に、前記制御信号受信部および前記処理部が機能し始めるまで前記受電部（２）が前記受電部（２）へ前記電力を出力できるように一定期間にわたって遅延させ、これにより、前記制御命令受信部（９）が事前に機能した後に、前記リモートコントローラの前記信号出力部から前記命令信号を出力することが可能となるステップをさらに含む、実施態様１１に記載の方法。
（１３）  電源部（６）をさらに含み、前記電源部（６）は、前記リモートコントローラ（１）の複数のボタンのうち１つが押圧されたときに前記制御命令受信部（９）および前記制御信号処理部（３）へ電力を出力するように、前記多スイッチ部（７）へと接続される、実施態様１〜１０のいずれかに記載の、電化製品の制御のためのゼロ電力待機モードを備えたシステム。
（１４）  前記電源部（６）は、電池、太陽電池、コンデンサまたは交流−直流変換回路からなる群から選択される、実施態様１３に記載の、電化製品の制御のためのゼロ電力待機モードを備えたシステム。
（１５）  前記リモートコントローラ（１）の電力出力部（１０４）から出力される電力は、電磁場波、光波、または音波からなる群から選択された形態をとる、実施態様１に記載の、電化製品の制御のためのゼロ電力待機モードを備えたシステム。
【図１】
2013530576.tif 000003
【図２】
2013530576.tif 000004
【図３】
2013530576.tif 000005
【図４】
2013530576.tif 000006
【図５】
2013530576.tif 000007
【図６ａ】
2013530576.tif 000008
【図６ｂ】
2013530576.tif 000009
【図６ｃ】
2013530576.tif 000010
【手続補正書】
【提出日】平成24年12月27日(2012.12.27)
【手続補正１】
【補正対象書類名】特許請求の範囲
【補正対象項目名】全文
【補正方法】変更
【補正の内容】
【特許請求の範囲】
【請求項１】
電化製品の制御のためのゼロ電力待機モードを備えたシステムであって、
リモートコントローラ（１）であって、電力出力部（１０４）と、制御信号出力部（１０５、１１５）とを含み、前記電力出力部（１０４）は起動信号を出力し、前記制御信号出力部（１０５、１１５）は、前記電化製品を制御するための制御信号を出力する、リモートコントローラ（１）と、
前記電化製品に動作可能に接続された制御信号受信デバイス（１３）であって、
前記起動信号を前記リモートコントローラ（１）から受信する手段を有する受電部（２）であって、前記起動信号を受信すると、ウェークアップコマンドを生成する、受電部（２）と、
前記リモートコントローラ（１）から出力された前記制御信号を受信する制御命令受信部（９）と、
前記リモートコントローラ（１）からの前記制御信号に応答して前記電化製品を制御する制御信号処理部（３）と、
を含む、制御信号受信デバイス（１３）と、
を含み、
前記リモートコントローラ（１）から前記起動信号を受信すると、前記受電部（２）は前記ウェークアップコマンドを生成して、前記制御信号処理部（３）および前記制御命令受信部（９）を起動させ、前記制御信号処理部（３）および前記制御命令受信部（９）に電力を供給し、これにより、前記システムは、前記リモートコントローラ（１）からの前記制御信号を受信可能な状態となり、
前記受電部（２）は、いかなる零入力電流も必要とせずに、前記起動信号により送電される電力を使用して容易に起動するよう設定され、前記制御信号は、前記制御命令受信部（９）および前記制御信号処理部（３）の起動の後、前記リモートコントローラ（１）により前記制御命令受信部（９）へと送信される、システム。
【請求項２】
前記リモートコントローラ（１）は、前記制御信号を送信して、前記制御信号受信デバイス（１３）に接続された前記電化製品が動作できるようにする、請求項１に記載の、電化製品の制御のためのゼロ電力待機モードを備えたシステム。
【請求項３】
前記受電部（２）は電磁波受信手段を含み、前記電磁波受信手段は、前記リモートコントローラ（１）から前記起動信号として送信された電磁波信号を受信する、請求項１または２に記載の、電化製品の制御のためのゼロ電力待機モードを備えたシステム。
【請求項４】
前記受電部（２）は、整流器および電圧ダブラー回路をさらに含み、前記整流器および電圧ダブラー回路は、前記起動信号受信手段へ直列接続される、請求項１、２または３のいずれか１項に記載の、電化製品の制御のためのゼロ電力待機モードを備えたシステム。
【請求項５】
前記制御命令受信部（９）は赤外線信号受信部である、請求項１〜４のいずれか１項に記載の、電化製品の制御のためのゼロ電力待機モードを備えたシステム。
【請求項６】
前記リモートコントローラ（１）は電力出力手段（１０２、１０４）をさらに含み、前記電力出力手段（１０２、１０４）は、前記制御信号受信デバイス（１３）の前記受電部（２）を通電させるため、前記起動信号として電力を出力する、請求項１〜５のいずれか１項に記載の、電化製品の制御のためのゼロ電力待機モードを備えたシステム。
【請求項７】
前記電力出力手段（１０２、１０４）はアンテナを含む、請求項６に記載の、電化製品の制御のためのゼロ電力待機モードを備えたシステム。
【請求項８】
前記リモートコントローラ（１）の前記電力出力部（１０４）から出力される電力は、電磁場波、光波、または音波からなる群から選択された形態をとる、請求項６に記載の、電化製品の制御のためのゼロ電力待機モードを備えたシステム。
【請求項９】
前記制御信号受信デバイス（１３）は多スイッチ部（７）をさらに含み、前記多スイッチ部（７）は、前記制御命令受信部（９）および前記制御信号処理部（３）へ選択的に電力を供給する、請求項１〜８のいずれか１項に記載の、電化製品の制御のためのゼロ電力待機モードを備えたシステム。
【請求項１０】
前記多スイッチ部（７）は、ＳＣＲまたはサイリスタである、請求項９に記載の、電化製品の制御のためのゼロ電力待機モードを備えたシステム。
【請求項１１】
電源部（６）をさらに含み、前記電源部（６）は、前記制御命令受信部（９）および前記制御信号処理部（３）へ電力を出力するように、前記多スイッチ部（７）へと接続される、請求項９または１０に記載の、電化製品の制御のためのゼロ電力待機モードを備えたシステム。
【請求項１２】
前記電源部（６）は、電池、太陽電池、コンデンサおよび交流−直流変換回路からなる群から選択される、請求項１１に記載の、電化製品の制御のためのゼロ電力待機モードを備えたシステム。
【請求項１３】
前記電化製品をさらに含む、請求項１〜１２のいずれか１項に記載の、電化製品の制御のためのゼロ電力待機モードを備えたシステム。
【請求項１４】
前記電化製品はテレビ受像機である、請求項１〜１３のいずれか１項に記載の、電化製品の制御のためのゼロ電力待機モードを備えたシステム。
【請求項１５】
請求項１に記載のシステムで電化製品（８）をリモート制御する方法であって、前記システムは、リモートコントローラ（１）と、制御信号受信デバイス（１３）とを含み、前記制御信号受信デバイス（１３）は、受電部（２）、制御信号処理部（３）および制御命令受信部（９）を含み、動作可能に前記電化製品（８）へ接続され、
前記方法は、
前記受電部（２）を備えた前記リモートコントローラ（１）から起動信号を受信することであって、前記受電部（２）は、いかなる零入力電流も必要とせずに、前記起動信号により送電される電力を使用して容易に起動するよう設定される、ことと、
前記制御命令受信部（９）を備えた前記リモートコントローラ（１）から制御信号を受信することと、
電源（６）からの電力を前記制御信号受信デバイス（１３）の前記制御信号処理部（３）および前記制御命令受信部（９）へと方向付けるために前記起動信号から受電された電力を用い、これにより前記制御信号受信デバイス（１３）を通常運転モードとすることと、
前記通常運転モード中に前記電化製品（８）の電源が入るよう前記電化製品（８）を制御することと、
前記制御信号受信デバイス（１３）が待機モードとなるまで、前記制御信号受信デバイス（１３）の前記制御信号処理部（３）および前記制御命令受信部（９）への電力供給を継続することと、
を含む、方法。
【請求項１６】
電源（６）からの電力を方向付けるために前記起動信号から受電された電力を用いることは、多スイッチ部（７）に対する回路を閉じるようにとの命令を前記電源（６）から前記制御信号処理部（３）へ送り、その結果、前記制御信号処理部（３）および前記制御命令受信部（９）へと電力が供給されることを含む、請求項１５に記載の方法。
【請求項１７】
前記リモートコントローラ（１）による前記起動信号を送信することと、
前記制御信号を送る前に、一定期間にわたって遅延させ、これにより、前記制御命令受信部（９）を前記リモートコントローラ（１）からの前記制御信号を受信する前に機能させることが可能となることと、
をさらに含む、請求項１５に記載の方法。
【国際調査報告】
2013530576.tif 000011
2013530576.tif 000012